(57)【要約】【課題】第１吸込具（小型吸込具）と第２吸込具（床用吸込具）との接続を確実に行うとともに、汎用性の高い電気掃除機を提供する。【解決手段】掃除機本体１と、ホース２と、連結管３と、第１パイプ部８を有する第１吸込具５と、第２パイプ部を有する第２吸込具６とを有しており、第１パイプ部８に設けられた第１係止部と連結管３に設けられた第１被係止部とにより連結管３と第１パイプ部８とを固定する第１固定機構と、第２パイプ部１６の外側に設けられた第２係止部と第１吸込具５の先端に設けられた第２被係止部とにより第１吸込具５と第２吸込具６とを固定する第２固定機構とを備えており、第１吸込具５を外した状態において、連結管３と第２吸込具６とが、テーパー嵌合によって接合される。【選択図】図２
2011104224.tif 000002
【特許請求の範囲】
【請求項１】
掃除機本体と、
一端が前記掃除機本体に接続されるホースと、
一端が前記ホースの他端に接続される連結管と、
一端が前記連結管の他端に接続される第１パイプ部を有する第１吸込具と、
一端が前記第１吸込具の他端に接続される第２パイプを有する第２吸込具と、
前記第１パイプ部に設けられた第１係止部と、前記連結管の前記第１係止部に対応する位置に設けられた第１被係止部とからなる第１固定機構と、
前記第２パイプ部の外側に設けられた第２係止部と、前記第１吸込具の先端の前記第２係止部に対応する位置に設けられた第２被係止部とからなる第２固定機構と、
を備えており、
前記第１吸込具を接続しない状態において、前記連結管と前記第２吸込具の前記第２パイプ部とがテーパー嵌合によって接合される
電気掃除機。
【請求項２】
前記第２係止部は、前記第２パイプ部に着脱自在に形成された請求項１に記載の電気掃除機。
【請求項３】
前記第１係止部は、前記第１パイプ部の内部から表面に所定の長さが突出するように弾性体によって付勢された固定ピンであり、前記第１被係止部は、前記連結管の前記固定ピンに対応する位置に設けられており、前記固定ピンが貫通して係止するための貫通口である請求項１または２に記載の電気掃除機。
【請求項４】
前記第１吸込具の前記第２吸込具側の内部には、前記第２係止部を挟み込むリブが設けられている請求項１〜３のうちの何れか１項に記載の電気掃除機。
【請求項５】
前記第２係止部と前記第２パイプ部との間には、前記第２パイプ部から延出された壁部が設けられており、前記壁部は、前記第２パイプ部が前記第１吸込具に接続されたとき、前記第１吸込具の前記第２パイプ部側の先端に略当接する位置に形成されている請求項１〜４のうちの何れか１項に記載の電気掃除機。
【請求項６】
前記第２係止部は、当該第２係止部から突出する第１爪部を有しており、前記第２被係止部は、前記第１吸込具の前記第２吸込具側の先端の内部に設けられた第２爪部であり、前記第１吸込具と前記第２吸込具とは、前記第１爪部と前記第２爪部とが当接することにより係合されるように構成されており、前記第２固定機構は、前記第１爪部と前記第２爪部との当接面の角度が、前記第２パイプ部と前記第１吸込具との接続方向に対して鋭角となるように構成されている請求項１〜５のうちの何れか１項に記載の電気掃除機。
【発明の詳細な説明】
【技術分野】
【０００１】
本発明は、電気掃除機に関し、特に電気掃除機用の吸込具に関する。
【背景技術】
【０００２】
使用者の生活空間の塵埃を掃除する電気掃除機の分野においては、使用者の使い勝手を向上させるべく、様々な構成が提案されてきた。
【０００３】
例えば、延長管と床用吸込具との間に小型吸込具を着脱自在に接続し、両方のノズルを切替可能とし、広範囲の掃除を行うことができる構成を有する電気掃除機が提案されている。
【０００４】
このような電気掃除機としては、吸込口体（床用吸込具）の吸込口体本体に延長管部が着脱可能に接続されおり、この延長管部の吸込口体側の先端に、補助ブラシを含む補助清掃体（小型吸込具）が着脱自在に接続されている構成が知られている（例えば特許文献１参照）。
【先行技術文献】
【特許文献】
【０００５】
【特許文献１】特開２００５−２９６２８４号公報
【発明の概要】
【発明が解決しようとする課題】
【０００６】
しかしながら、上述の特許文献１に記載の従来の電気掃除機においては、電気掃除機の汎用性を向上させるという観点からは、未だ改善の余地があった。
【０００７】
すなわち、上述の特許文献１に記載の電気掃除機においては、補助清掃体を有する延長管と吸込口体との接続部位に補助清掃体を有する延長管と吸込口体とを接続するための専用の接続構成が必要であり、また、補助清掃体と延長管との接続部位に補助清掃体と延長管とを接続するための専用の接続構成が必要であるため、補助清掃体を有する延長管に専用の吸込口体以外のアタッチメントの接続ができなかったり、延長管に専用の補助清掃体以外の接続部品の接続ができなかったりし、汎用性が低いという課題を有していた。
【０００８】
本発明は、上記従来技術の有する課題に鑑みてなされたものであり、第１吸込具（小型吸込具）と第２吸込具（床用吸込具）との接続を確実に行うとともに、汎用性の高い電気掃除機を提供することを目的とする。
【課題を解決するための手段】
【０００９】
上記従来技術の有する課題を解決するために、本発明は、
掃除機本体と、
一端が掃除機本体に接続されるホースと、
一端がホースの他端に接続される連結管と、
一端が連結管の他端に接続される第１パイプ部を有する第１吸込具と、
一端が第１吸込具の他端に接続される第２パイプを有する第２吸込具と、
第１パイプ部に設けられた第１係止部と、連結管の第１係止部に対応する位置に設けられた第１被係止部とからなる第１固定機構と、
第２パイプ部の外側に設けられた第２係止部と、第１吸込具の先端の第２係止部に対応する位置に設けられた第２被係止部とからなる第２固定機構と、
を備えており、
第１吸込具を接続しない状態において、連結管と第２吸込具の第２パイプ部とがテーパー嵌合によって接合される
電気掃除機を提供する。
【００１０】
これにより、第１吸込具と第２吸込具との接続を確実に行うことができるとともに、第１吸込具によって部屋の隙間等の掃除を簡便にしながら、構成するユニットが汎用性の高い形状を有することができる。
【００１１】
また、本発明の電気掃除機は、第２係止部は、第２パイプ部に着脱自在に形成されたことが好ましい。
【００１２】
これにより、第２パイプ部に第２吸込具の固定するための特別な形状がないため、テーパー嵌合による部品接続が可能なため汎用性が高いものとなる。
【００１３】
さらに、本発明の電気掃除機は、第１係止部は、第１パイプ部の内部から表面に所定の長さが突出するように弾性体によって付勢された固定ピンであり、第１被係止部は、連結管の固定ピンに対応する位置に設けられており、固定ピンが貫通して係止するための貫通口であることが好ましい。
【００１４】
これにより、連結管の他端は貫通孔を有するだけでその他の特別な形状がないため、テーパー嵌合による部品接続が可能なため汎用性が高いものとなる。
【００１５】
また、本発明の電気掃除機は、第１吸込具の第２吸込具側の内部には、第２係止部を挟み込むリブが設けられていることが好ましい。
【００１６】
これにより、第２吸込具の第２パイプ部に第１吸込具の回転止めの形状をパイプ部に別途設ける必要がなく、テーパー嵌合による部品接続が可能なため汎用性が高いものとなる。
【００１７】
さらに、本発明の電気掃除機は、第２係止部と第２パイプ部との間には、第２パイプ部から延出された壁部が設けられており、壁部は、第２パイプ部が第１吸込具に接続されたとき、第１吸込具の第２パイプ部側の先端に略当接する位置に形成されていることが好ましい。
【００１８】
これにより、連結管に第１吸込具を接続したときのガタツキを抑えることができる。そのような役割を担う形状をパイプ部に別途設ける必要がなく、部品接続が可能なため汎用性が高いものとなる。
【００１９】
また、本発明の電気掃除機は、第２係止部は、当該第２係止部から突出する第１爪部を有しており、第２被係止部は、第１吸込具の第２吸込具側の先端の内部に設けられた第２爪部であり、第１吸込具と第２吸込具とは、第１爪部と第２爪部とが当接することにより係合されるように構成されており、第２固定機構は、第１爪部と第２爪部との当接面の角度が、第２パイプ部と第１吸込具との接続方向に対して鋭角となるように構成されていることが好ましい。
【００２０】
これにより、第２吸込具と第１吸込具を接続した状態で振り回す等の乱雑な扱いがあっても第１爪部と第２爪部の外れが発生しづらく、使い勝手が良く安全な吸込み具を提供できる。
【発明の効果】
【００２１】
本発明の電気掃除機によれば、第１吸込具と第２吸込具との接続を確実に行うとともに、汎用性の高い電気掃除機を提供することができる。
【図面の簡単な説明】
【００２２】
【図１】本発明の電気掃除機の第１実施形態を示す斜視図
【図２】図１に示した電気掃除機の連結管、小型吸込具、床用吸込具の斜視図
【図３】図１に示した電気掃除機の連結管、小型吸込具、床用吸込具を結合した状態の斜視図
【図４】（Ａ）図１に示した電気掃除機の小型吸込具の中央断面図（Ｂ）図１に示した電気掃除機の小型吸込具に連結管を挿入途中の中央断面図（Ｃ）図１に示した電気掃除機の小型吸込具に連結管を接続した状態の中央断面図
【図５】図１に示した電気掃除機の小型吸込具の水平断面図
【図６】図１に示した電気掃除機の小型吸込具の中央断面図
【図７】（Ａ）図１に示した電気掃除機の床用吸込具に小型吸込具を挿入途中の中央断面図（Ｂ）図１に示した電気掃除機の床用吸込具の固定機構が回動状態の中央断面図（Ｃ）図１に示した電気掃除機の床用吸込具に小型吸込具を接続した状態の中央断面図
【図８】図１に示した電気掃除機の連結管と床用吸込具の接続を示す中央断面図
【発明を実施するための形態】
【００２３】
以下、図面を参照しながら本発明の電気掃除機の好適な実施形態について詳細に説明する。なお、以下の説明では、同一または相当部分には同一符号付し、重複する説明は省略する。
【００２４】
（第１実施形態）
本発明の電気掃除機の第１実施形態について、図１〜図８を用いて説明する。
【００２５】
図１は、本発明の電気掃除機の第１実施形態を示す斜視図である。また、図２は、図１に示した電気掃除機の連結管、小型吸込具、床用吸込具の斜視図である。さらに、図３は、図１に示した電気掃除機の連結管、小型吸込具、床用吸込具を結合した状態の斜視図である。また、図４（Ａ）は、図１に示した電気掃除機の小型吸込具の中央断面図であり、図４（Ｂ）は、図１に示した電気掃除機の小型吸込具に連結管を挿入途中の中央断面図であり、図４（Ｃ）は、図１に示した電気掃除機の小型吸込具に連結管を接続した状態の中央断面図である。さらに、図５は、図１に示した電気掃除機の小型吸込具の水平断面図である。また、図６は、図１に示した電気掃除機の小型吸込具の中央断面図である。さらに、図７（Ａ）は、図１に示した電気掃除機の床用吸込具に小型吸込具を挿入途中の中央断面図であり、図７（Ｂ）は、図１に示した電気掃除機の床用吸込具の固定機構が回動状態の中央断面図であり、図７（Ｃ）は、図１に示した電気掃除機の床用吸込具に小型吸込具を接続した状態の中央断面図である。また、図８は、図１に示した電気掃除機の連結管と床用吸込具の接続を示す中央断面図である。
【００２６】
図１に示すように、電気掃除機１００は、主として、掃除機本体１と、ホース２と、連結管３と、小型吸込具（第１吸込具）５と、床用吸込具（第２吸込具）６とから構成されている。
【００２７】
掃除機本体１は、主として、掃除機本体１の後部に載置されており、後述する床用吸込具６から塵埃を吸込む電動送風機（図示せず）と、床用吸込具６から吸込まれた塵埃を捕集する集塵室（図示せず）とから構成されている。
【００２８】
図１に示すように、ホース２は、一端が掃除機本体１に着脱自在に接続されており、他
端が後述する連結管３に着脱自在に接続されている。このホース２は、掃除機本体１の内部の集塵室（図示せず）に連通している。
【００２９】
図１〜図３に示すように、連結管３は、一端がホース２に接続されており、他端４が後述する小型吸込具５の第１パイプ部８に接続されている。この連結管３は、パイプ状に形成されており、連結管３の他端４には、後述する第１パイプ部８に設けられた固定ピン１０が嵌合する貫通穴（第１被係止部）７が、連結管３の他端４から所定の距離の位置に設けられている。
【００３０】
図２〜図４に示すように、小型吸込具５は、主として、第１パイプ部８と、第３パイプ部１１と、埃取り部１２と、ブラシ１３とから構成されている。
【００３１】
図２〜図４に示すように、第１パイプ部８の連結管３が接続される側には、連結管３の貫通穴７に嵌合する固定ピン（第１係止部）１０が設けられている。この固定ピン１０は、第１パイプ部８の内部から表面に所定の長さが突出するように弾性体９により付勢されている。
【００３２】
ここで、所定の長さとは、第１パイプ部８が連結管３の貫通穴７に勘合した際に、貫通穴７から固定ピン１０が突出する長さであればよく、連結管３の厚さよりも長ければよい。
【００３３】
図４に示すように、第１パイプ部８の連結管３に接続される側と反対側の他端には、後述する床用吸込具６の第２パイプ部１６に接続される第３パイプ部１１が、第１パイプと一体に形成されている。この第３パイプ部１１の外周には、第３パイプ部１１の外壁から延出し、第３パイプ部１１の第１パイプ部８が形成されている側と反対側の先端側に伸びる埃取り部１２が、第１パイプ部８及び第３パイプ部１１と一体に形成されている。また、埃取り部１２の第２パイプ部１６側の先端の縁には、植毛により形成されたブラシ１３が設けられている。
【００３４】
埃取り部１２の第２パイプ部１６側の先端の内部には、第２爪部１４が形成されている。この第２爪部１４は、第３パイプ部１１の軸方向に対する第２爪部１４の内側（第１パイプ部８側）の係止面の角度αが鋭角となるように形成されている。また、図４及び図５に示すように、第２爪部１４の裏側である埃取り部１２の第１パイプ部側には、第３パイプ部１１の軸方向と水平に伸びる一対のリブ１５が設けられている。
【００３５】
図２及び図３に示すように、床用吸込具６は、主として、床用吸込具本体３０と、第２パイプ部１６とから構成されている。
【００３６】
床用吸込具本体３０の底面には、吸込開口（図示せず）が設けられており、床用吸込具本体３０の内部には、吸込室（図示せず）が形成されている。
【００３７】
図３、図６〜図８に示すように、第２パイプ部１６は、一端が床用吸込具本体３０の吸込室（図示せず）に連通されており、他端が小型吸込具５の第３パイプ部１１に接続される。
【００３８】
また、第２パイプ部１６の第３パイプ部１１側の終端部には、第２パイプ部１６の外周から延出された壁部１７が設けられており、この壁部１７の上部には、後述する第２係止部１８の軸となるヒンジ部１９が設けられている。
【００３９】
第２係止部１８は、主として、ペダル部２０と、本体部２１とから構成されている。
【００４０】
本体部２１の第３パイプ部１１側には、軸体２２が設けられており、この軸体２２により、第２係止部１８は、ヒンジ部１９に回動自在に軸支されている。
【００４１】
第２係止部１８は、弾性体２３により付勢されるとともに、所定に位置以上に回動しないように、座付きネジ２４によりその回動が規制されている。また、本体部２１の上面には、第１爪部２５が設けられている。この第１爪部２５は、第２パイプ部１６の軸方向に対する第１爪部２５の係止面の角度βが鋭角となるように形成されている。
【００４２】
さらに、床用吸込み具６の第２パイプ部１６の外形の寸法と連結管３の他端４の内径の寸法とは、第２パイプ部１６と連結管３とがテーパー嵌合できる形状および寸法に構成されている。
【００４３】
以上のように構成された電気掃除機について、以下その接続構成を説明する。
【００４４】
まず、連結管３と小型吸込具５の第１パイプ部８との接続について説明する。
【００４５】
図４（Ｂ）に示すように、連結管３のホース２が接続される側と反対側の他端４に小型吸込具５の第１パイプ部８が挿入されると、固定ピン１０が第１パイプ部８の内部に押し込まれ、第１パイプ部８の表面から突出しなくなる。この状態で、さらに第１パイプ部８を連結管３に挿入すると、図４（Ｃ）に示すように、固定ピン１０が貫通穴７の位置に達し、固定ピン１０が弾性体９の付勢により、貫通穴７から所定の長さまで突出し、連結管３と第１パイプ部８とが固定される。
【００４６】
連結管３と第１パイプ部８とを分離させるには、固定ピン１０を第１パイプ部８の内側に指で押した状態で連結管３を引っ張ることにより、連結管３と第１パイプ部８とを分離することができる。
【００４７】
次に、小型吸込具５の第３パイプ部１１と床用吸込具６の第２パイプ部１６との接続について説明する。
【００４８】
図７に示すように、床用吸込具６の第２パイプ部１６が小型吸込具５の第３パイプ部１１に挿入されると、小型吸込具５の第２爪部１４が第２係止部１８の上面に設けられている第１爪部２５を押し、第２係止部１８が軸体２２を中心に回動される。この状態でさらに第２パイプ部１６を第３パイプ部１１に挿入すると、小型吸込具５の第２爪部１４が、第３パイプ部１１の第１爪部２５を乗り越え、第２パイプ部１６と第３パイプ部１１とが係止される。
【００４９】
また、このとき、図５及び図７に示すように、第２係止部１８の本体部２１の一部は小型吸込具５の埃取り部１２の内側に挿入されており、この埃取り部１２の内側に挿入された本体部２１の側面は、埃取り部１２の内部に設けられたリブ１５により挟まれる形でリブ１５に略当接される。
【００５０】
さらに、このとき、図７（Ｃ）及び図８に示すように、第３パイプ部１１の先端が、第２パイプ部１６の壁部１７に略当接される。
【００５１】
床用吸込み具６と小型吸込み具５とを分離させるには、第２係止部１８のペダル部２０を押すことにより、第２係止部１８の第１爪部２５が埃取り部１２の第２爪部１４から外し、この状態で小型吸込み具５を引っ張ることで床用吸込み具６と小型吸込み具５とを分離させることができる。
【００５２】
また、床用吸込み具６の第２パイプ部１６の外形の寸法と連結管３の他端４の内径の寸法とは、第２パイプ部１６と連結管３とがテーパー嵌合できる形状および寸法に構成されている。このため、小型吸込具５を連結管３及び床用吸込具６から取り外した状態において、第２パイプ部１６に連結管３の他端４を挿入することで、第２パイプ部１６と連結管３とを接続することが可能となっている。このとき、連結管３の他端４は第２パイプ部１６の壁部１７に略当接される。
【００５３】
以上のように構成された電気掃除機について、以下その動作を説明する。
【００５４】
使用者が通常の床面掃除を行う場合、使用者は掃除機本体１に、ホース２、連結管３、小型吸込具５、及び床用吸込具６を接続する。この状態において、使用者が、電気掃除機１００の電源を入れることで、掃除機本体１内の電動送風機（図示せず）が動作し、床用吸込具６の底面に設けられた吸込開口から床面の塵埃が吸込まれる。床用吸込具６から吸込まれた塵埃は、小型吸込具５、連結管３、ホース２を介して掃除機本体１内に設けられた集塵室（図示せず）によって捕集される。
【００５５】
使用者が家具の隙間等の狭い部分を掃除する場合、使用者は、床用吸込具６の第２係止部１８のべダル部２０を手または足で押し、床用吸込具６を小型吸込具５から取り外し、小型吸込具５を使用して家具の隙間等の狭い部分を掃除することができる。また、小型吸込具５の埃取り部１２の先端の縁には、ブラシ１３が設けられているため、使用者は、ブラシ１３を使用して、家具の隙間等の狭い部分の塵埃をかきだしながら、小型吸込具５の第３パイプ部１１から吸込むことができる。
【００５６】
この構成により、使用者が吸込具を交換する動作を簡便化することができるため、掃除の効率を大幅に向上させることができる。
【００５７】
また、連結管３と小型吸込み具５の第１パイプ部８とは、貫通穴７及び固定ピン１０によって固定されているため、床用吸込具６を小型吸込具５から取り外す際に、使用者が連結管３を引っ張ることによって、連結管３と小型吸込み具５の第１パイプ部８との間が外れることがなく、使い勝手の良いものとなる。
【００５８】
このような構成を採用する場合、連結管３と小型吸込み具５との間、及び小型吸込み具５と床用吸込み具６との間に、それぞれを固定する構成が必要であり、通常はその固定構成が障害となり、連結管３に専用の小型吸込具以外のアタッチメントの接続ができなかったり、床用吸込み具６に専用の小型吸込具５以外の掃除用部品の接続ができなかったりするため、汎用性が悪くなりがちであった。
【００５９】
しかしながら、本実施形態の電機掃除機においては、連結管３の他端４に接続構成がなく完全なパイプ状となっているため、本実施形態の電気掃除機の小型吸込み具５や床用吸込み具６だけでなく、その他の電気掃除機に付属されている吸込具や市販されている一般的な掃除用アタッチメント及び吸込器具を、テーパー嵌合によって接続することも可能であり、汎用性が高いものとなる。
【００６０】
また、床用吸込み具６についても、第２パイプ部１６を小型吸込み具５に固定するための固定構成や回転止めの形状、ガタツキを抑える構成がなく完全なパイプ状になっているため、本実施形態の電気掃除機のアタッチメントとテーパー嵌合によって接続することが可能であり、汎用性が高いものとなる。
【００６１】
さらに、本実施形態の電気掃除機においては、床用吸込み具６と小型吸込み具５との回
転止めの機構が、小型吸込み具５の埃取り部１２の先端の内側に設けられているため、床用吸込み具６の外観に影響しない。同様に、床用吸込み具６と小型吸込み具５のガタツキを抑える構成は、第２パイプ部１６の壁１７を利用しており、床用吸込み具６の外観に影響しない。このような構成によって、床用吸込み具６を単品で見たとき、余計な形状ができるだけ外部に露出しないように構成しているため、本実施形態以外の電気掃除機のアタッチメントに利用しやすくなる。
【００６２】
また、第２パイプ部１６を完全なパイプ形状にするためには、小型吸込み具５の固定機構を分離して構成することも必要であるが、そのとき床用吸込み具６と小型吸込み具５の爪嵌合部が、小型吸込み具５と床用吸込み具６との固定軸であるパイプ部分から離れることとなる。その結果、第２パイプ部１６と第３パイプ部１１のガタツキによって、第１爪部２５及び第２爪部１４が傾斜しやすくなり、パイプから離れた第１爪部２５や第２爪部１４の当接面が外れやすくなり、結果的に床用吸込み具６と小型吸込み具５を接続した状態で振り回す等の乱雑な扱いがあったときに外れやすくなる。
【００６３】
しかしながら、本実施形態の電機掃除機においては、第２爪部１４と第１爪部２５の当接面のパイプの軸方向に対する角度α及びβが、どちらも鋭角となっているため、床用吸込み具６と小型吸込み具５を接続した状態で振り回す等の乱雑な扱いがあっても、第２パイプ部１６と第３パイプ部１１の多少のガタツキによって爪嵌合が外れるようなことがなく、使い勝手が良く安全な吸込具を提供することできる。
【産業上の利用可能性】
【００６４】
本発明の電気掃除機は、小型吸込み具によって部屋の隙間等の掃除を簡便にしながら、それを構成する連結管や床用吸込み具が汎用性の高い構成を有することが可能となるので、家庭、業務用等の電気掃除機の分野・用途に好適に適用することができる。
【符号の説明】
【００６５】
１  掃除機本体１
２  ホース２
３  連結管
５  小型吸込具
６  床用吸込具
８  第１パイプ部
１６  第２パイプ部
１８  第２係止部
【図１】
2011104224.tif 000003
【図２】
2011104224.tif 000004
【図３】
2011104224.tif 000005
【図４】
2011104224.tif 000006
【図５】
2011104224.tif 000007
【図６】
2011104224.tif 000008
【図７】
2011104224.tif 000009
【図８】
2011104224.tif 000010